(57)【要約】【課題】コードが表示されている携帯端末の画面の輝度不足に起因するコードの読み取り不良を解消する。【解決手段】実施の形態に係るコードリーダは、照度センサで周囲の明るさを測定し、周囲の明るさがより暗い場合にコードが表示される画面の輝度をより暗く調整する携帯端末の照度センサを含む範囲に、光を照射する光照射部１２と、光照射部１２により光が照射された状態で、画面に表示されるコードを読み取るコード読取部１１とを備えるものである。【選択図】図１
2020135537.tif 000002
【特許請求の範囲】
【請求項１】
照度センサで周囲の明るさを測定し、周囲の明るさがより暗い場合にコードが表示される画面の輝度をより暗く調整する携帯端末の前記照度センサを含む範囲に、光を照射する光照射部と、
前記光照射部により光が照射された状態で、前記画面に表示される前記コードを読み取るコード読取部と、
を備える、
コードリーダ。
【請求項２】
前記光照射部による光の照射のオンオフを切り替えるスイッチをさらに備える、
請求項１に記載のコードリーダ。
【請求項３】
前記コードの読み取りを開始して所定時間経過しても前記コードを読み取れない場合、前記光照射部は前記携帯端末の前記照度センサを含む範囲に光を照射する、
請求項１に記載のコードリーダ。
【請求項４】
周囲の明るさを測定する照度測定部をさらに備え、
前記光照射部は、前記照度測定部により測定された周囲の明るさが所定値以下の場合に光を照射する、
請求項１に記載のコードリーダ。
【請求項５】
照度センサで周囲の明るさを測定し、周囲の明るさがより暗い場合にコードが表示される画面の輝度をより暗く調整する携帯端末の前記照度センサを含む範囲に光を照射し、
光が照射された状態で、前記画面に表示される前記コードを読み取る、
コード読取方法。
【請求項６】
照度センサで周囲の明るさを測定し、周囲の明るさがより暗い場合にコードが表示される画面の輝度をより暗く調整する携帯端末の前記照度センサを含む範囲に光を照射する処理と、
光が照射された状態で、前記画面に表示される前記コードを読み取る処理と、
をコードリーダに実行させる、
プログラム。
【発明の詳細な説明】
【技術分野】
【０００１】
本発明は、コードリーダ、コード読取方法及びプログラムに関する。
【背景技術】
【０００２】
特許文献１には、物品に付されているコードシンボルのコードデータを読み取る光学的データ読取装置を備えるハンディターミナルに関する発明が開示されている。特許文献１では、光学的データ読取装置によるコードシンボルの読み取りが宣言される迄は照明手段によりコードシンボル付近に光を照射してコードシンボルの位置等の確認を可能とし、コードシンボルの位置等の確認後に、光学的データ読取装置によるコードシンボルの読み取りが宣言されると、光学的データ読取装置によるコードシンボルの読み取りが終了する迄、照明手段による光の照射を中止する。
【０００３】
これにより、十分な光が得られない環境下であっても、作業性が良く、光学的データ読取装置によるコード読み取り精度が高いハンディターミナルを提供している。また、光を照射した状態で読み取りを行う場合に、コードシンボルが正確に読み取れなくなるという悪影響を避けることができる。
【０００４】
バーコードや二次元バーコードのコードは、対象物を特定する手段として広く普及している。近年、携帯端末の画面にバーコードを表示して、航空機への搭乗時における認証や、デジタル決済等を行う技術が広く使用されている。また、スマートフォンの普及に伴い、スマートフォンにアプリケーションをダウンロードして会員登録を行うことが一般的となり、スマートフォンに会員固有のバーコードを表示させることで、顧客情報の管理、顧客へのサービスの提供等が実行される。
【先行技術文献】
【特許文献】
【０００５】
【特許文献１】特開２００４−２９５３０７号公報
【発明の概要】
【発明が解決しようとする課題】
【０００６】
携帯端末には、照度センサで周囲の明るさを測定し、周囲の明るさに応じて画面の輝度を調整する機能がある。例えば、スマートフォンは、通話用スピーカの近傍に設けられている照度センサで周囲の明るさを測定し、周囲の明るさに応じて画面の輝度を調整する。スマートフォンは、周囲の明るさが増せば、画面の輝度を上げ、周囲の明るさが減ずれば、画面の輝度を下げる。
【０００７】
スマートフォンの画面の輝度が下がっているときに、画面に表示されているコードをコードリーダで読み取ろうとすると輝度不足で読み取れないことがある。特許文献１では、十分な光が得られない環境下で、コードシンボルの位置を確認するために光を照射しており、コードシンボルの読み取り動作を実行している期間は消灯している。このため、特許文献１の技術を用いたとしても、スマートフォンの画面の輝度不足に起因するコードの読み取り不良の問題を解決することはできない。
【０００８】
本開示の目的は、上述した問題を鑑み、コードが表示されている携帯端末の画面の輝度不足に起因するコードの読み取り不良を解消することが可能なコードリーダ、コード読取方法及びプログラムを提供することにある。
【課題を解決するための手段】
【０００９】
本発明の一態様に係るコードリーダは、照度センサで周囲の明るさを測定し、周囲の明るさがより暗い場合に前記コードが表示される前記画面の輝度をより暗く調整する前記携帯端末の前記照度センサを含む範囲に、光を照射する光照射部と、前記光照射部により光が照射された状態で、前記画面に表示される前記コードを読み取るコード読取部とを備えるものである。
【００１０】
本発明の一態様に係るコード読取方法は、照度センサで周囲の明るさを測定し、周囲の明るさがより暗い場合に前記コードが表示される前記画面の輝度をより暗く調整する前記携帯端末の前記照度センサを含む範囲に光を照射し、前記光照射部により光が照射された状態で、前記画面に表示される前記コードを読み取る。
【００１１】
本発明の一態様に係るプログラムは、照度センサで周囲の明るさを測定し、周囲の明るさがより暗い場合に前記コードが表示される前記画面の輝度をより暗く調整する前記携帯端末の前記照度センサを含む範囲に光を照射する処理と、前記光照射部により光が照射された状態で、前記画面に表示される前記コードを読み取る処理とをコードリーダに実行させる。
【発明の効果】
【００１２】
本発明によれば、コードが表示されている携帯端末の画面の輝度不足に起因するコードの読み取り不良を解消することが可能なコードリーダ、コード読取方法及びプログラムを提供することができる。
【図面の簡単な説明】
【００１３】
【図１】実施の形態に係るコード読取装置の概略的な構成を示すブロック図である。
【図２】実施の形態１に係るコード読取装置の構成例を示すブロック図である。
【図３Ａ】実施の形態１に係るコード読取装置を側面から見た図である。
【図３Ｂ】実施の形態１に係るコード読取装置を上面から見た図である。
【図４】実施の形態２に係るコード読取方法の処理の流れを示すフロー図である。
【図５】実施の形態３に係るコード読取装置の構成例を示すブロック図である。
【図６】実施の形態４に係るコード読取方法の処理の流れを示すフロー図である。
【発明を実施するための形態】
【００１４】
以下、図面を参照して本発明の実施の形態について説明する。説明の明確化のため、以下の記載及び図面は、適宜、省略、及び簡略化がなされている。また、様々な処理を行う機能ブロックとして図面に記載される各要素は、ハードウェア的には、ＣＰＵ、メモリ、その他の回線で構成することができる。
【００１５】
実施の形態は、携帯端末の画面に表示されるコードの読み取りを行うコードリーダに関する。まず、本発明が解決しようとする問題点について説明する。スーパーマーケットなどでは、会員登録を行った顧客に会員カードを発行している。顧客は、商品の購入の際に会員カードを提示することで、「２０日３０日は５％オフ」などの会員サービスを受けることができる。近年、会員カードの代わりに、スマートフォンにアプリケーションをダウンロードして、スマートフォンの画面に会員固有のバーコードを表示させる技術が用いられている。店舗側は、顧客がスマートフォンに表示させたバーコードをバーコードリーダで読み取り、読取結果をＰＯＳ（Point of sale）端末装置に通知することにより、会員の個人情報を入手し、顧客の特性と購入商品を関連付け、商品戦略などのマーケティングが可能になる。
【００１６】
スマートフォンは、周囲の明るさを測定する照度センサを有しており、周囲の明るさに応じて自動的に画面の輝度を調整して、電池の消耗を少なくする機能が標準的に搭載されている。具体的には、スマートフォンは、周囲の明るさがより明るい場合に画面の輝度をより明るく調整し、周囲の明るさがより暗い場合に画面の輝度をより暗く調整する。このような画面の輝度を自動的に調整する機能は、初期設定で通常オンに設定されている。一方、店舗では、外部の明るさに合わせて店舗内の照明の明るさを調整している。例えば、雨天の日や夜間などには、照明の明るさを落として省エネルギー対策を行っている。
【００１７】
このため、夜間においては、スマートフォンの画面の輝度が十分でなく、会員のスマートフォンに表示されたバーコードの黒と白との輝度差が足りない場合がある。このようなバーコードをレーザー方式のバーコードリーダで読み取る際、バーコードに照射されたレーザー光の反射光を受光素子で受光すると、バーコードの黒と白の部分の差を受光素子が識別できず、バーコードが読み取れないことがあった。バーコードの読み取り不良が発生した場合には、スマートフォンの画面の輝度を上げるために、顧客がスマートフォンを手動で設定しなおす必要があり、手間がかかるという問題がある。
【００１８】
そこで、図１に示すように、実施の形態に係るコードリーダ１０は、携帯端末の照度センサを含む範囲に、光を照射する光照射部１２と、光照射部１２により光が照射された状態で、画面に表示されるコードを読み取るコード読取部１１とを備える。これにより、コードが表示される携帯端末の画面の輝度を上げて、輝度不足によるコードの読み取り不良を解消することが可能となる。
以下、実施の形態に係るコードリーダ１０の具体的な構成例について説明する。本実施の形態では、コードリーダ１０が、ＰＯＳ（販売時点情報管理）システムを構成するＰＯＳ端末装置に接続される例について説明する。
【００１９】
実施の形態１．
図２は、実施の形態１に係るコード読取装置の構成例を示すブロック図である。図３Ａは、実施の形態１に係るコード読取装置を側面から見た図であり、図３Ｂは、上面から見た図である。図３Ａ、図３Ｂでは、画面にバーコードを表示したスマートフォン２０に、コードリーダ１０から光を照射する様子が示されている。図３Ａ、図３Ｂにおいて、一点鎖線は光の照射範囲を示している。図２に示すように、コードリーダ１０は、コード読取部１１、光照射部１２、入力部１３、通信部１４、制御部１５を備える。
【００２０】
コード読取部１１は、スマートフォンの画面に表示されるバーコードを読み取る。コード読取部１１としては、例えば、公知のレーザー方式の読取モジュールを用いることができる。コード読取部１１は、図３Ａ、図３Ｂのコードリーダ１０のハウジング１の内部であって、ハウジング１の先端部分に位置する読取口２の近傍に配置される。
【００２１】
コード読取部１１は、例えば、レーザダイオードと、レーザダイオードからのレーザー光を反射するミラーと、受光素子とを備えている。ミラーの角度をアクチュエータで制御することでレーザー光の走査を行う。レーザー光がバーコードで反射した反射光を受光素子で受光することで、当該バーコードの画像信号を生成することができる。なお、コード読取部１１としては、ＣＣＤ（Charge Coupled Device）方式等の他の読取モジュールを用いることも可能である。
【００２２】
光照射部１２は、スマートフォン２０に光を照射する。実施の形態では、光照射部１２によりスマートフォン２０の照度センサを含む範囲に光を照射して、スマートフォン２０の画面の輝度を上げることで、バーコードの読み取り不良を解消する。このため、光照射部１２としては、照度を十分に有し、自然光に近い白色光を出射する光源を用いることが好ましい。
【００２３】
図３Ａ、図３Ｂに示す例では、光照射部１２として、白色光を出射するＬＥＤ（Light Emitting Diode）からなる光源Ｌ１、Ｌ２が用いられる。光源Ｌ１、Ｌ２は、コードリーダ１０の先端部分に位置する読取口２の上下にそれぞれ設けられている。なお、図３Ａ、図３Ｂに示す例では、読取口の上下にそれぞれ１つずつ光源Ｌ１、Ｌ２を配置していたが、これに限定されない。例えば、光源Ｌ１、Ｌ２の配置箇所は読取口２の上下でなくてもよいし、数量は１つでも３つ以上であってもよい。
【００２４】
周囲の明るさを測定する照度センサは、例えば、通話用スピーカの近傍に設けられている。スマートフォン２０の画面の輝度を上げるためには、通話用スピーカの近傍に設けられている照度センサに光を照射すればよい。しかしながら、スマートフォン２０の画面に表示されたバーコードを読み取る際に、スマートフォン２０に設けられた照度センサの位置を特定することは難しい。
【００２５】
このため、図３Ａ、図３Ｂに示すように、光照射部１２の照射範囲をスマートフォン２０全体に光が照射されるように設定する。なお、スマートフォン２０の照度センサの位置を特定することができる場合には、スマートフォン２０全体ではなく、照度センサを含む範囲のみに光を照射するようにしてもよい。なお、特に図示しないが、光照射部１２には、光の広がりを調節するためのレンズ等が設けられていてもよい。
【００２６】
入力部１３は、複数のキーが配列された構成を有している。入力部１３への入力により、商品コードや数量等の入力、アプリケーションの起動等を行うことができる。また、入力部１３には、光照射部１２による光の照射のオンオフを切り替えるスイッチが含まれる。通信部１４は、上位装置である、図示しないＰＯＳ端末装置と接続される。通信部１４は、コード読取部１１によりスマートフォン２０に表示されたバーコードを読み取った読取結果をＰＯＳ端末装置に通知する。コードリーダ１０とＰＯＳ端末装置との通信は、有線通信でもよいし、無線通信でもよい。制御部１５は、コードリーダ１０全体の動作を制御する。制御部１５としては、例えば、コードリーダ１０が備える各部を駆動制御する制御系を搭載したプリント配線基板が用いられる。
【００２７】
コードリーダ１０は、所定の間隔でバーコードを読み取る。店員は、スマートフォンの画面に表示されたバーコードを読み取る際、数秒経過してもバーコードを読み取れない場合、スマートフォンに光を照射するために、上述したスイッチを押下する。これにより、スマートフォンの照度センサを含む範囲に光が照射され、スマートフォンの画面の輝度を上げることができ、バーコードを読み取ることが可能となる。
【００２８】
このように、実施の形態１によれば、スマートフォンの画面の輝度が下がっているときに、画面に表示されているバーコードや２次元バーコードのコードが輝度不足で読み取れない場合に、スマートフォンに光を照射する。スマートフォン２０は、照度センサにより照射された光を検出し、周囲の明るさに合わせて自動的に画面の輝度を上げる。これにより、スマートフォン２０に表示されたバーコードの黒と白の輝度差が大きくなり、コード読取部１１によるコードの読み取り不良を解消することが可能となる。
【００２９】
なお、コード読取部１１によるバーコードの読み取りが完了すると読取完了音等が発信され、店員はバーコードが読み取られたことを認識することができる。その後、スイッチをオフとし、光照射部１２からの光の照射を停止させることができる。
【００３０】
実施の形態２．
図４は、実施の形態２に係るコード読取方法の処理の流れを示すフロー図である。実施の形態２において、実施の形態１と異なる点は、入力部１３が、光照射部１２による光の照射のオンオフを切り替えるスイッチを有しておらず、コード読取部１１の動作の開始を指示するトリガスイッチを有する点である。実施の形態２では、光照射部１２による光の照射は、読み取り処理の過程で、条件に応じて自動的に実行される。
【００３１】
図４を参照して、実施の形態２にかかるコード読取方法について説明する。まず、トリガスイッチが押下され、バーコードの読み取りが開始されたか否かが判断される（ステップＳ１）。トリガスイッチが押下された場合（ステップＳ１、ＹＥＳ）、ステップＳ２に移行する。一方、トリガスイッチが押下されていない場合（ステップＳ１、ＮＯ）、ステップＳ１が繰り返し実行される。
【００３２】
ステップＳ２では、コードリーダ１０が所定の間隔でバーコードを読み取り、正常にバーコードの読取結果が取得されたか否かが判断される。バーコードが正常に読み取れた場合（ステップＳ２、ＹＥＳ）はステップＳ８に移行し、読取結果がＰＯＳ端末装置に通知される。一方、バーコードが読み取れない場合（ステップＳ２、ＮＯ）は、ステップＳ３に移行する。
【００３３】
ステップＳ３では、読み取り開始から所定時間（例えば、５秒）が経過しているか否かが判断される。所定時間が経過した場合（ステップＳ３、ＹＥＳ）、ステップＳ４に移行し、光照射部１２からスマートフォン２０に光が照射される。すなわち、バーコードの読み取りを開始して所定時間経過してもバーコードを読み取れない場合、光照射部１２はスマートフォン２０の照度センサを含む範囲に光を照射する。一方、所定時間が経過していない場合（ステップＳ３、ＮＯ）、ステップＳ２に戻る。
【００３４】
そして、ステップＳ４において光照射部１２から光が照射されている状態で、ステップＳ５に移行する。ステップＳ５では、光照射部１２から光が照射されている状態で、コードリーダ１０が所定の間隔でバーコードを読み取り、正常にバーコードの読取結果が取得されたか否かが判断される。バーコードが正常に読み取れた場合（ステップＳ５、ＹＥＳ）はステップＳ８に移行し、バーコードが読み取れない場合（ステップＳ５、ＮＯ）は、ステップＳ６に移行する。
【００３５】
ステップＳ６では、光照射開始から所定時間（例えば、５秒）が経過しているか否かが判断される。所定時間が経過した場合（ステップＳ６、ＹＥＳ）、ステップＳ７に移行し、光照射部１２からの光の照射が停止される。一方、所定時間が経過していない場合（ステップＳ６、ＮＯ）、ステップＳ５に戻る。ステップＳ８では、読取結果がＰＯＳ端末装置に通知され、読取処理が終了する。
【００３６】
このように、実施の形態２によっても、実施の形態１と同様に、スマートフォン２０の画面の輝度不足に起因する読み取り不良を解消する効果を達成することができる。
【００３７】
実施の形態３．
図５は、実施の形態３に係るコード読取装置の構成例を示すブロック図である。実施の形態３において、実施の形態１と異なる点は、入力部１３が、光照射部１２による光の照射のオンオフを切り替えるスイッチを有しておらず、図５に示すように周囲の明るさを測定する照度測定部１６を有する点である。実施の形態３では、光照射部１２による光の照射は、照度測定部１６により測定された照度に応じて自動的に実行される。
【００３８】
光照射部１２は、照度測定部１６により測定された周囲の明るさが所定値以下の場合、スマートフォン２０に光を照射する。一方、光照射部１２は、照度測定部１６により測定された周囲の明るさが所定値を超えている場合、光を照射しない。ここで、所定値とは、測定された周囲の明るさがその値以下では、スマートフォン２０の画面の輝度が下がり、該画面上のバーコードが輝度不足で読み取れなくなる照度である。
【００３９】
このように、実施の形態３によっても、実施の形態１と同様に、スマートフォン２０の画面の輝度不足に起因する読み取り不良を解消する効果を達成することができる。
【００４０】
実施の形態４．
図６は、実施の形態４に係るコード読取方法の処理の流れを示すフロー図である。実施の形態４に係るコードリーダ１０は、実施の形態３と同様に、周囲の明るさを測定する照度測定部１６を有している。
【００４１】
図６を参照して、実施の形態４にかかるコード読取方法について説明する。まず、トリガスイッチが押下され、バーコードの読み取りが開始されたか否かが判断される（ステップＳ１１）。トリガスイッチが押下された場合（ステップＳ１１、ＹＥＳ）、ステップＳ１２に移行する。一方、トリガスイッチが押下されていない場合（ステップＳ１１、ＮＯ）、ステップＳ１１が繰り返し実行される。
【００４２】
ステップＳ１２では、周囲の明るさ（照度）が所定値以下であるか否かが判断される。照度が所定値以下の場合（ステップＳ１２、ＹＥＳ）、ステップＳ１３に移行し、照度が所定値を超えている場合（ステップＳ１２、ＮＯ）、ステップＳ１４に移行する。なお、上述したように、所定値とは、測定された周囲の明るさがその値以下では、スマートフォン２０の画面の輝度が下がり、該画面上のバーコードが輝度不足で読み取れなくなる照度である。
【００４３】
ステップＳ１３では、光照射部１２からスマートフォン２０に光が照射される。そして、ステップＳ１４において、コードリーダ１０が所定の間隔でバーコードを読み取り、正常にバーコードの読取結果が取得されたか否かが判断される。バーコードが正常に読み取れた場合（ステップＳ１４、ＹＥＳ）はステップＳ１７に移行し、バーコードが読み取れない場合（ステップＳ１４、ＮＯ）は、ステップＳ１５に移行する。
【００４４】
ステップＳ１５では、光照射開始から所定時間（例えば、５秒）が経過しているか否かが判断される。所定時間が経過した場合（ステップＳ１５、ＹＥＳ）、ステップＳ１６に移行し、光照射部１２からの光の照射が停止される。一方、所定時間が経過していない場合（ステップＳ１５、ＮＯ）、ステップＳ１４に戻る。ステップＳ１７では、読取結果がＰＯＳ端末装置に通知され、読取処理が終了する。
【００４５】
このように、実施の形態４によっても、実施の形態１と同様に、スマートフォン２０の画面の輝度不足に起因する読み取り不良を解消する効果を達成することができる。
【００４６】
本発明は、任意の処理を、ＣＰＵ（Central Processing Unit）にコンピュータプログラムを実行させることにより実現することも可能である。従って、これらの機能ブロックがハードウェアのみ、ソフトウェアのみ、またはそれらの組合せによっていろいろな形で実現できることは当業者には理解されるところであり、いずれかに限定されるものではない。
【００４７】
また、上述したプログラムは、様々なタイプの非一時的なコンピュータ可読媒体（non-Transitory computer Readable Medium）を用いて格納され、コンピュータに供給することができる。非一時的なコンピュータ可読媒体は、様々なタイプの実体のある記録媒体（tangible storage Medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（Transitory computer Readable Medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４８】
なお、本発明は上述の実施の形態に限られたものではなく、趣旨を逸脱しない範囲で適宜変更することが可能である。上述の実施の形態では、手持ち式のバーコードリーダ１０について記載したが、バーコードリーダは固定式であってもよい。また、バーコードリーダは、バーコードを読み取るものであってもよいし、２次元バーコードを読み取るものであってもよい。実施の形態に係るコードリーダ１０は、ＰＯＳシステムを構成するＰＯＳ端末装置と接続され、例えば、スーパーマーケット、ドラッグストアなどの多店舗チェーン店や、病院等に用いられ得る。
【符号の説明】
【００４９】
１  ハウジング
２  読取口
１０  バーコードリーダ
１１  コード読取部
１２  光照射部
１３  入力部
１４  通信部
１５  制御部
１６  照度測定部
Ｌ１  光源
Ｌ２  光源
２０  スマートフォン
【図１】
2020135537.tif 000003
【図２】
2020135537.tif 000004
【図３Ａ】
2020135537.tif 000005
【図３Ｂ】
2020135537.tif 000006
【図４】
2020135537.tif 000007
【図５】
2020135537.tif 000008
【図６】
2020135537.tif 000009
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
照度センサで周囲の明るさを測定し、周囲の明るさがより暗い場合にコードが表示される画面の輝度をより暗く調整する携帯端末の全体に光が照射されるように設定されている照射範囲に、光を照射する光照射部と、
前記光照射部により光が照射された状態で、前記画面に表示される前記コードを読み取るコード読取部と、
を備える、
コードリーダ。
【請求項２】
前記光照射部の光源は、当該コードリーダの先端部分に位置する読取口の上下にそれぞれ設けられている、
請求項１に記載のコードリーダ。
【請求項３】
前記光照射部による光の照射のオンオフを切り替えるスイッチをさらに備える、
請求項１または２に記載のコードリーダ。
【請求項４】
前記コードの読み取りを開始して所定時間経過しても前記コードを読み取れない場合、前記光照射部は前記携帯端末の前記照度センサを含む範囲に光を照射する、
請求項１または２に記載のコードリーダ。
【請求項５】
周囲の明るさを測定する照度測定部をさらに備え、
前記光照射部は、前記照度測定部により測定された周囲の明るさが所定値以下の場合に光を照射するものであって、
前記所定値とは、周囲の明るさがその値以下では、前記携帯端末の前記画面の輝度が下がり、該画面上の前記コードが読み取れなくなる照度である、
請求項１または２に記載のコードリーダ。
【請求項６】
照度センサで周囲の明るさを測定し、周囲の明るさがより暗い場合にコードが表示される画面の輝度をより暗く調整する携帯端末の前記照度センサを含む範囲に、光照射部により、光を照射し、
コード読取部により、光が照射された状態で、前記画面に表示される前記コードを読み取るコードリーダのコード読取方法において、
照度測定部により、周囲の明るさを測定し、周囲の明るさがその値以下では、前記携帯端末の前記画面の輝度が下がり、該画面上の前記コードが読み取れなくなる照度以下の場合に、前記光照射部により、光を照射する、
コードリーダのコード読取方法。